(57)【特許請求の範囲】
【請求項１】
吊環と、略水平方向に延長する連結部材と、該連結部材の両端部に各々回転自在に軸支される一対のカムと、該吊環の下端に設けられる吊環ボルトと該カムの一端との間に各々連結される一対のカムリンクと、を有するコンクリート内吊り用クランプにおいて、上記一対のカムの上方に近接して、クランプの全幅内に収納される収納位置とクランプの全幅を超えて外方に突出する突出位置とを取り得る一対の係止手段が設けられることを特徴とするコンクリート内吊り用クランプ。
【請求項２】
上記一対の係止手段の各々は、上記連結部材の端部に対して固定されたガイドと、該ガイド内を略水平方向に摺動可能な係止金具と、該係止金具を上記収納位置または突出位置に固定するための固定手段とを有することを特徴とする請求項１のコンクリート内吊り用クランプ。
【請求項３】
上記固定手段が上記ガイド内に挿入されるボルトよりなり、上記係止金具の上記収納位置または突出位置に対応した位置において該ボルトの下端部を嵌合する係止溝が該係止金具に形成されることを特徴とする請求項２のコンクリート内吊りクランプ。
【請求項４】
上記一対の係止手段の各々に、さらに、上記係止金具が上記ガイドから抜け落ちることを防止するためのストッパ手段が設けられることを特徴とする請求項２または３のコンクリート内吊り用クランプ。
【請求項５】
上記連結手段が長さ調整可能であることを特徴とする請求項１ないし４のいずれかのコンクリート内吊り用クランプ。
【発明の詳細な説明】
【０００１】
【発明の属する技術分野】
本発明は道路側溝として用いられるコンクリート製品の吊り上げに適した内吊り用クランプに関し、より詳しくは、Ｕ字溝コンクリートブロックの内吊りとＶＳ側溝コンクリートブロックの内吊りとに兼用可能なクランプに関する。
【０００２】
【従来の技術】
道路側溝として用いられるコンクリート製品には、底面部を有して略Ｕ字形の断面形状を有するＵ字溝コンクリートブロック（図９）と、略逆Ｕ字形の断面形状に形成されて上面に開口部を有するＶＳ側溝コンクリートブロック（図８）とがある。
【０００３】
Ｕ字溝コンクリートブロックの内吊り用クランプの敷設作業に用いられる内吊り用クランプとしては各種のタイプが開発され実用化されている。また、ＶＳ側溝コンクリートブロックについては、その上面開口部を利用して内吊りする大型の専用クランプが開発されている。
【０００４】
【発明が解決しようとする課題】
しかしながら、従来は、Ｕ字溝ブロックの内吊りとＶＳ側溝ブロックの内吊りとではそれぞれ専用のクランプを用いる必要があり、これらブロックの内吊りに兼用できるクランプは開発されていなかった。このため、一つの現場で両方のコンクリート側溝ブロックが敷設される場合にはそれぞれに専用の異なる二種のクランプを使用しなければならず、作業効率が悪く、コスト面でも大きな問題となっていた。
【０００５】
【課題を解決するための手段】
そこで本発明は、Ｕ字溝ブロックの内吊りとＶＳ側溝ブロックの内吊りとに兼用可能なクランプを提供することを目的とする。
【０００６】
すなわち本発明によるコンクリート内吊り用クランプは、吊環と、略水平方向に延長する連結部材と、該連結部材の両端部に各々回転自在に軸支される一対のカムと、該吊環の下端に設けられる吊環ボルトと該カムの一端との間に各々連結される一対のカムリンクと、を有するコンクリート内吊り用クランプにおいて、上記一対のカムの上方に近接して、クランプの全幅内に収納される収納位置とクランプの全幅を超えて外方に突出する突出位置とを取り得る一対の係止手段が設けられることを特徴とする（請求項１）。
【０００７】
請求項２は、請求項１のコンクリート内吊り用クランプにおいて、一対の係止手段の各々が、連結部材の端部に対して固定されたガイドと、該ガイド内を略水平方向に摺動可能な係止金具と、該係止金具を上記収納位置または突出位置に固定するための固定手段とを有することを特徴とする。
【０００８】
請求項３は、請求項２のコンクリート内吊りクランプにおいて、固定手段がガイド内に挿入されるボルトよりなり、係止金具の収納位置または突出位置に対応した位置において該ボルトの下端部を嵌合する係止溝が該係止金具に形成されることを特徴とする。
【０００９】
請求項４は、請求項２または３のコンクリート内吊り用クランプにおいて、一対の係止手段の各々に、さらに、係止金具がガイドから抜け落ちることを防止するためのストッパ手段が設けられることを特徴とする。
【００１０】
請求項５は、請求項１ないし４のいずれかのコンクリート内吊り用クランプにおいて、連結手段が長さ調整可能であることを特徴とする。
【００１１】
【発明の実施の形態】
本発明の一実施例によるコンクリート内吊り用クランプを以下図１および図２を参照して説明する。
【００１２】
吊環１０の下端には吊環ボルト１１が設けられ、この吊環ボルト１１に一対のカムリンク１２ａ，１２ｂの各一端が連結されている。カムリンク１２ａ，１２ｂの各他端は、長さ調整可能なシャフト１３の両端にカムボルト１４ａ，１４ｂにより回転自在に軸支された一対のカム１５ａ，１５ｂの一端と連結されている。これら吊環１０，吊環ボルト１１，カムリンク１２ａ，１２ｂ，シャフト１３，カムボルト１４ａ，１４ｂおよびカム１５ａ，１５ｂより作動体１６が構成され、クランプには一対の作動体１６，１６が備えられる。図２より明らかなように、一対の作動体１６，１６は、吊環１０，１０の上端部同士を連結する連結シャフト１７、吊環ボルト１１，１１を両端に螺着する連結シャフト１８およびカムボルト１４ａ，１４ｂを各々両端に螺着する連結シャフト１９によって所定間隔に連結され、且つ、互いに同期して連動する。
【００１３】
各作動体１６において、シャフト１３ａ，１３ｂの上面には支持材３７が固定され、さらに支持材３７の上部に固定されたガイド３９内に、略水平方向に延長する係止金具３８が摺動自在に組み込まれている。さらに図３および図４を参照して、係止金具３８は蝶ボルト４２によりガイド３９に対して固定されるが、蝶ボルト４２を緩めた状態では左右方向に自由に摺動可能であり、クランプの外方（矢印Ａ方向）に向けて突出する図３の位置と、クランプの内方（矢印Ｂ方向）に収納される図４の位置の２位置を取り得るものであり、これらの位置において蝶ボルト４２の下端を嵌入可能とする係止溝４３ａ，４３ｂが設けられている。図１では、一対の係止金具３８，３８がクランプの内方に収納された図４の位置にあるものとして示されている。なお、係止金具３８の両端にはガイド３９からの抜け落ちを防止するためのストッパ４０，４１が形成され、蝶ボルト４２には抜け外れを防止するためのスプリング４４が組み込まれている。
【００１４】
一方、支持体２０は、略垂直方向に延長する上部長溝２１および下部長溝２２を有する支持板２３を有する。吊環ボルト１１は支持板２３の上部長溝２１内を挿通しており、上部長溝２１に沿って略垂直方向に移動可能である。一対の第１スライドリンク２５ａ，２５ｂが、支持板２３にはアームボルト２４ａ，２４ｂで、シャフト１３にはカムボルト１４ａ，１４ｂで、各々連結されている。第１スライドリンク２５ａ，２５ｂの略中間部には一対の第２スライドリンク２６ａ，２６ｂの一端が各々連結されている。第２スライドリンク２６ａ，２６ｂの各他端はいずれも、支持板２３の下部長溝２２内を移動可能なスライドボルト２７に枢着されている。これら支持板２３，第１スライドリンク２５ａ，２５ｂ，第２スライドリンク２６ａ，２６ｂ，スライドボルト２７等により構成される支持体２０が設けられ、図２より明らかなように、アームボルト２４ａ，２４ｂを両端に螺着する連結シャフト２８および支持板２３，２３の下端部同士を連結する連結シャフト２９によって所定間隔に連結され、且つ、互いに同期して連動する。
【００１５】
なお、図示実施例において第１スライドリンク２５ａ，２５ｂはカムボルト１４ａ，１４ｂを超えてさらに下方に延長しており、それらの下端部に車軸３０および車輪３１ａ，３１ｂが回転自在に取り付けられている。これによりクランプの走行を容易にしている。
【００１６】
以上の説明から明らかなように、このクランプは各々一対の作動体１６と支持体２０とで構成され、支持体２０における第１スライドリンク２５ａ，２５ｂの各一端が作動体１６におけるカムボルト１４ａ，１４ｂに連結され、且つ、作動体１６におけるカムリンク１２ａ，１２ｂの開閉支点となる吊環ボルト１１が支持体２０における支持板２３の上部長溝２１内に移動可能に収容されていることにより、これら作動体１６と支持体２０とが一体化されている。作動体１６はクランプ開閉動作を行い、支持体２０は作動体１６を安定的に支持している。
【００１７】
図１および図２はクランプが閉じた状態を示している。このとき、吊環ボルト１１は支持板２３の上部長溝２１の下端近くに位置している。クランプをこの状態として、吊り上げようとするコンクリート製品のＵ字溝内またはＶＳ側溝内に配置する。
【００１８】
この状態から吊環１０が吊り上げられると、吊環ボルト１１が上部長溝２１に沿って上方に移動し、一対のカムリンク１２ａ，１２ｂが互いに閉じる方向に回転し、これに伴ってカム１５ａ，１５ｂが各々カムボルト１４ａ，１４ｂを支点として互いに開く方向に回転する。かくしてカム１５ａ，１５ｂは図１に仮想線で示す位置となり、コンクリート製品の内壁面Ｗ，ＷまたはＷ’，Ｗ’（いずれも後述）にカム１５ａ，１５ｂの外周に形成された係合歯（図示せず）が噛み合い、コンクリート製品の吊り上げを可能にする。
【００１９】
なお、図示実施例のクランプには、クランプでコンクリートブロックを吊り上げた後にこれを所定位置に着地させることによりクランプに作用していた負荷が零となったときにカム１５ａ，１５ｂを自動的に解放させる自動着脱機構４５が組み込まれており、作業の効率化を図っているが、本発明の主題とは直接関連しないので説明を省略する。自動着脱機構４５については本出願人による特願平１０−３２１４２２号において詳細に述べられている。
【００２０】
図示実施例のクランプはＶＳ側溝コンクリートブロックの内吊りとＵ字溝コンクリートブロックの内吊りとに兼用することができる。図５はＶＳ側溝コンクリートブロック３５の内吊りに用いた場合を示しており、図６はＵ字溝コンクリートブロック３６の内吊りに用いた場合を示している。この２種類のコンクリートブロックにおける大きな違いは、Ｕ字溝ブロック３６には底面部があるがＶＳ側溝ブロック３５には底面部がないことであり、このため、Ｕ字溝ブロック３６の内吊りの場合（図６）はクランプを底面部に載置した状態で安定した姿勢で内吊り作業を行うことができるが、ＶＳ側溝ブロック３５の内吊りの場合（図５）はクランプをＶＳ側溝ブロック３５の内壁面Ｗ’，Ｗ’における溝深さ方向の中途に位置させて内吊りをしなければならない。
【００２１】
各作動体１６において支持材３７上部のガイド３９内に摺動自在に設けられた係止金具３８は、ＶＳ側溝ブロック３５を内吊りする場合に有効に働くものである。この場合、図５に示すように、一対の係止金具３８，３８をクランプの外方に突出させた状態（図３）で蝶ボルト４２および係止溝４３ｂによりガイド３９に固定し、これら係止金具３８，３８をＶＳ側溝ブロック３５の開口部に臨む段差面Ｓ，Ｓに載置させることでクランプの姿勢を安定化し、この状態で内吊りを行うことができる。あるいは、図示しないが、係止金具３８，３８をＶＳ側溝ブロック３５の開口部の外方に残されている上面Ｓ’，Ｓ’に載置させた状態で内吊りしてもよい。
【００２２】
なお、Ｕ字溝ブロック３６の内吊りに用いるときは、図６に示すように、一対の係止金具３８，３８はクランプの内方に収納した状態（図４）で蝶ボルト４２および係止溝４３ａによりガイド３９に固定する。この状態では係止金具３８，３８はクランプの外方には何ら突出していないので、クランプをＵ字溝ブロック３６内に収容載置するに際して邪魔になることがない。
【００２３】
さらに、このクランプは内寸（内壁面Ｗ，ＷまたはＷ’，Ｗ’間の間隔）の異なるコンクリート製品の吊り上げに汎用することができる。これは、シャフト１３の長さが調整可能とされていることによって達成される。図示実施例では、シャフト１３は、各々その外方端にカムボルト１４ａ，１４ｂを介してカム１５ａ，１５ｂを回転自在に軸支する一対の小径シャフト１３ａ，１３ｂと、これら小径シャフト１３ａ，１３ｂの各々内方端部を収容する大径中央シャフト１３ｃとからなり、小径シャフト１３ａ，１３ｂの各々内方端部には一つのピン挿通穴（図示せず）が設けられると共に、大径中央シャフト１３ｃの両端部には各々数個のピン調整穴が設けられている。そして、小径シャフト１３ａ，１３ｂのピン挿通穴と、大径中央シャフト１３ｃにおいて選択した位置のピン調整穴とに抜き差しピン３４を挿入することによってこれらシャフト１３ａ〜１３ｃを連結一体化する。大径中央シャフト１３ｃにおいて異なる位置のピン調整穴を用いることにより、このシャフト１３ｃに対する小径シャフト１３ａ，１３ｂの内方端部の収容長さを調整することができ、一体化されたシャフト１３の長さを調節することができる。
【００２４】
たとえば大径中央シャフト１３ｃの両端部に各々２個のピン調整穴３２ａ，３２ｂ；３３ａ，３３ｂを設けた場合、図７（Ａ）に示すようにいずれも外側のピン調整穴３２ａ，３３ａを用いて各々小径シャフト１３ａ，１３ｂを連結させた場合と、図７（Ｂ）に示すように一方は外側（３３ａ）、他方は内側（３２ｂ）のピン調整穴を用いて小径シャフトを連結させた場合と、図７（Ｃ）に示すようにいずれも内側のピン調整穴３２ｂ，３３ｂを用いて各々小径シャフトを連結させた場合と、３通りの長さのシャフト１３を得ることができる。
【００２５】
シャフト１３は広い範囲において微調整可能にすることが好ましいが、これは、大径中央シャフト１３ｃの両端部に狭い間隔で多数の調整穴を設けることによって、あるいは小径シャフト１３ａ，１３ｂの内方端部にも複数のピン調整穴を設けることによって、あるいはこれらシャフトを構成する部材、特に大径中央シャフト１３ｃについて複数の長さを有するものを用意しておいて適宜交換して用いることによって、あるいはこれらを併用することによって、実現することが可能である。
【００２６】
本発明は上記した図示実施例に限定されず、請求項に記載の範囲内において種々変更が可能である。たとえば、図示実施例における係止金具３８はピン形状であるが、鋼板やその他任意形状の係止金具を用いてもよい。また、係止金具３８を収納位置と突出位置との間で移動させる手段としては、図示実施例に用いたガイド３９内を摺動させる構成が簡便で好適であると考えられるが、これに代えて、係止金具を略水平面において回転させる構成や、突出位置（図３，図５）の係止金具を略垂直面において９０度回転させて直立または垂下させた収納位置に移動させる構成等を採用してもよい。
【００２７】
【発明の効果】
本発明によれば、Ｕ字溝ブロックの内吊りに用いる場合には係止金具がクランプの全幅内に収納される収納位置にした状態で操作し、また、ＶＳ側溝ブロックの内吊りに用いる場合には係止金具をクランプの外方に突出させた突出位置にしてこれをブロックの内壁の段差面または上面に係止させた状態で操作することにより、いずれの場合にも円滑な内吊り作業を行うことができる。
【図面の簡単な説明】
【図１】本発明の一実施例によるコンクリート内吊り用クランプの構成を示す正面図である。
【図２】同クランプの側面図である。
【図３】同クランプにおいて係止金具をクランプ外方に突出させた状態を示す拡大部分図である。
【図４】同クランプにおいて係止金具を収納位置とした状態を示す拡大部分図である。
【図５】同クランプを係止金具を図３の突出位置として用いてＶＳ側溝ブロックの内吊りを行っている状態を示す説明図である。
【図６】同クランプを係止金具を図４の収納位置として用いてＵ字溝ブロックの内吊りを行っている状態を示す説明図である。
【図７】同クランプのシャフトの連結構成および長さ調整のバリエーションを示す説明図である。
【図８】ＶＳ側溝ブロックを示す斜視図である。
【図９】Ｕ字溝ブロックを示す斜視図である。
【符号の説明】
１０  吊環
１１  吊環ボルト
１２ａ，１２ｂ  カムリンク
１３  長さ調整可能なシャフト
１３ａ，１３ｂ，１３ｄ  小径シャフト
１３ｃ，１３ｅ  大径シャフト
１４ａ，１４ｂ  カムボルト
１５ａ，１５ｂ  カム
１６，１６’  作動体
２０  支持体
２１  支持板
２２  上部長溝
２３  下部長溝
２４ａ，２４ｂ  アームボルト
２５ａ，２５ｂ  第１スライドリンク
２６ａ，２６ｂ  第２スライドリンク
２７  スライドボルト
３１ａ，３１ｂ，３２ａ，３２ｂ  ピン調整穴
３４  抜き差しピン
３５  ＶＳ側溝ブロック
３６  Ｕ字溝ブロック
３７  支持材
３８  係止金具
３９  ガイド
４０，４１  ストッパ
４２  蝶ボルト
４３ａ，４３ｂ  係止溝
４４  スプリング
４５  自動着脱機構
Ｗ    Ｕ字溝ブロックの内壁面
Ｗ’  ＶＳ側溝ブロックの内壁面
Ｓ    ＶＳ側溝ブロックの内壁の段差面
Ｓ’  ＶＳ側溝ブロックの上面
【図１】
0004177930.tif 000002
【図２】
0004177930.tif 000003
【図３】
0004177930.tif 000004
【図４】
0004177930.tif 000005
【図５】
0004177930.tif 000006
【図６】
0004177930.tif 000007
【図７】
0004177930.tif 000008
【図８】
0004177930.tif 000009
【図９】
0004177930.tif 000010